(57)【要約】【課題】誘電体壁の補強に伴う高周波エネルギの効率低下を生じることなく、装置の大型化を実現する。【解決手段】被処理基板Ｇにプラズマ処理を施す処理室４０と、処理室４０内に誘導電界を形成する高周波アンテナ６０とを隔てる誘電体壁２０を備えた誘導結合プラズマ処理装置において、誘電体壁２０を、各々が、セラミックスからなる枠部材２１と、この枠部材２１に嵌め込まれた石英等の窓部材２２からなる複数のセグメントＳを相互に嵌合させて接ぎ合わせた構成とし、導電性の梁等の補強部材を用いることなく、また誘電体壁２０の厚さを増大させることなく、被処理基板Ｇの大型化に呼応した誘電体壁２０の大型化を可能にした。【選択図】      図１
2004363418.tif 000002
【特許請求の範囲】
【請求項１】
被処理基板にプラズマ処理を施す処理室と、
前記処理室内に処理ガスを供給する処理ガス供給系と、
前記処理室内を排気する排気系と、
前記処理室の上部壁を構成する誘電体壁と、
前記処理室外の前記誘電体壁に対応する部分に設けられ、高周波電力が供給されることにより前記処理室内にプラズマを形成するためのプラズマ発生機構とを具備し、前記プラズマ発生機構により前記処理ガスをプラズマ化して前記被処理基板にプラズマ処理を施すプラズマ処理装置であって、
前記誘電体壁は、各々が、第１誘電体からなる枠部材と前記枠部材に嵌合し第２誘電体からなる窓部材とで構成され、相互に嵌合する複数のセグメントを接ぎ合わせて構成されていることを特徴とするプラズマ処理装置。
【請求項２】
前記誘電体壁を構成する複数の前記セグメントの接ぎ合わせ部を気密に封止し、前記セグメントの輪郭形状の網目を有する網状の第１封止部材と、前記第１封止部材を固定しつつ隣接する前記セグメントを連結する連結部材と、前記枠部材と前記窓部材の嵌合部を封止する第２封止部材と、を備えたことを特徴とする請求項１に記載のプラズマ処理装置。
【請求項３】
前記連結部材は、誘電体からなることを特徴とする請求項２に記載のプラズマ処理装置。
【請求項４】
個々の前記セグメントの前記枠部材の外周部には、隣接する他のセグメントの前記枠部材の外周部に嵌合する嵌合構造を備えたことを特徴とする請求項１または請求項２に記載のプラズマ処理装置。
【請求項５】
前記誘電体壁における前記プラズマ発生機構の配置側に設けられ、当該誘電体壁を装置筐体に吊り下げて支持する吊り柱を備え、前記吊り柱には、前記処理ガスを前記処理室に供給するためのガス通路が形成されていることを特徴とする請求項１に記載のプラズマ処理装置。
【請求項６】
前記第１誘電体はセラミックスからなり、前記第２誘電体は石英からなることを特徴とするプラズマ処理装置。
【請求項７】
被処理基板にプラズマ処理を施す処理室と、
前記処理室内に処理ガスを供給する処理ガス供給系と、
前記処理室内を排気する排気系と、
前記処理室の上部壁を構成する誘電体壁と、
前記処理室外の前記誘電体壁に対応する部分に設けられ、高周波電力が供給されることにより前記処理室内にプラズマを形成するためのプラズマ発生機構とを具備し、前記プラズマ発生機構により前記処理ガスをプラズマ化して前記被処理基板にプラズマ処理を施すプラズマ処理装置であって、
前記誘電体壁は、各々が誘電体からなり相互に嵌合する複数のセグメントを接ぎ合わせて構成されていることを特徴とするプラズマ処理装置。
【請求項８】
前記誘電体壁を構成する複数の前記セグメントの接ぎ合わせ部を気密に封止し、前記セグメントの輪郭形状の網目を有する網状の封止部材と、前記封止部材を固定しつつ隣接する前記セグメントを連結する連結部材とを備えていることを特徴とする請求項７に記載のプラズマ処理装置。
【請求項９】
前記連結部材は、誘電体からなることを特徴とする請求項８に記載のプラズマ処理装置。
【請求項１０】
個々の前記セグメントの前記枠部材の外周部には、隣接する他のセグメントの前記枠部材の外周部に嵌合する嵌合構造を備えたことを特徴とする請求項７または請求項８に記載のプラズマ処理装置。
【請求項１１】
前記誘電体壁における前記プラズマ発生機構の配置側に設けられ、当該誘電体壁を装置筐体に吊り下げて支持する吊り柱を備え、前記吊り柱には、前記処理ガスを前記処理室に供給するためのガス通路が形成されていることを特徴とする請求項７に記載のプラズマ処理装置。
【請求項１２】
前記誘電体はセラミックスからなることを特徴とする請求項７に記載のプラズマ処理装置。
【発明の詳細な説明】
【０００１】
【発明の属する技術分野】
本発明は、フラットパネルディスプレイ（ＦＰＤ）基板等の被処理基板に対して、誘導結合プラズマによりプラズマ処理を施す誘導結合プラズマ処理装置に関する。
【０００２】
【従来の技術】
例えば、フラットパネルディスプレイの一種である液晶表示装置（ＬＣＤ）の製造プロセスにおいては、被処理基板であるＬＣＤガラス基板に対して、エッチングやスパッタリング、ＣＶＤ（化学気相成長）等のプラズマ処理が多用されている。
【０００３】
このようなプラズマ処理を行うためのプラズマ処理装置としては、種々のものが用いられているが、その中で、高密度プラズマを発生することができるものとして誘導結合プラズマ（ＩＣＰ）処理装置が知られている。
【０００４】
誘導結合プラズマ処理装置は、典型的には、真空に保持可能なプラズマ処理を行うための処理室の天井が誘電体壁で構成され、その上に高周波（ＲＦ）アンテナが配設されている。そして、この高周波アンテナに高周波電力が供給されることにより、処理室内に誘導電界が形成され、この誘導電界により処理室に導入された処理ガスがプラズマ化し、このようにして形成された処理ガスのプラズマによりエッチング等のプラズマ処理が施される。
【０００５】
ところで、ＬＣＤの製造工程において処理される被処理基板（ＬＣＤガラス基板）は、生産効率の向上等を目的として、通常、１枚の被処理基板から複数枚、例えば９枚のＬＣＤパネル製品が得られるような寸法に設定される。従って、被処理基板であるＬＣＤガラス基板の寸法は、市販のＬＣＤに比べてかなり大きなものとなる。更に、近年、ＬＣＤ自体の大型化に伴って、被処理基板であるＬＣＤガラス基板の寸法は、大型化しており、例えば、１辺が２ｍに達するような巨大なＬＣＤガラス基板も出現している。
【０００６】
このため、ＬＣＤガラス基板を処理するための誘導結合プラズマ処理装置も大型化し、これに伴い処理室と高周波アンテナとの間に配設される誘電体壁も大型化している。処理室の内外の圧力差や自重等に耐えるだけの十分な強度を有するように、誘電体壁は平面寸法の大型化に伴って厚さも大きく設定される。しかし、誘電体壁が肉厚になると、高周波アンテナと処理室内部との距離が大きくなるため、処理室内に生じる誘導電界の減少の原因となる。
【０００７】
特許文献１には、シャワーヘッドを構成する金属製のシャワー筐体に支持梁の機能を持たせ、この支持梁によって誘電体を支持することにより誘電体壁の撓みを防止し、これにより、誘電体壁を薄くしてエネルギ効率を向上させること、およびシャワー筐体と高周波アンテナとが直交するようにして、エネルギ効率の低下を防止することが開示されている。
【０００８】
【特許文献１】
特開２００１−２８２９９号公報
【０００９】
【発明が解決しようとする課題】
ところが、処理室のさらなる大型化により、誘電体壁の大型化防止策として誘電体の分割数を増やしていくと、レールの数も増えることとなり、全てのレールを高周波アンテナの経路に対して直交するように配置することが困難になり、高周波アンテナから処理室に供給される高周波エネルギの効率低下が懸念される、という問題がある。
【００１０】
また、レール部は接地がなされているため、処理室内で発生させているプラズマと容量結合が生じ、処理室内ではアンテナによる誘導結合とレールによる容量結合がともに起こっている。このような誘導結合と容量結合の共存状態では、処理室内でのプラズマの分布が不均一になり、被処理基板に対する処理が不均一になることが懸念される、という問題もある。
【００１１】
すなわち、上述の従来技術の場合には、処理室の大型化に伴う誘電体の分割数増加によるレール数の増加に対して高周波アンテナの配置の制約が大きくなる。
【００１２】
さらに、処理室内にレール等の導電性部材が露出した構造では、処理室内のプラズマとレール間に生じる容量結合によるスパッタ現象が当該レール等の削れや、異常放電の発生を引き起こす懸念がある。また、当該レールを誘電体等で処理室から覆い隠してもプラズマと当該レールに生じる容量結合は解消されず、誘電体等の削れを生じ、誘電体の消耗やパーティクルの発生につながる。
【００１３】
本発明はかかる事情に鑑みてなされたものであって、誘電体壁の補強に伴う高周波エネルギの効率低下を生じることなく、装置の大型化を実現することが可能な誘導結合プラズマ装置を提供することを目的とする。
【００１４】
また、本発明は、処理室内で当該レールに生じる容量結合をなくし、誘導結合主体のプラズマにして均一な処理結果を得ることが可能な誘導結合プラズマ装置を提供することを目的とする。
【００１５】
また、本発明は、高周波アンテナの配置に制約を生じることなく、装置の大型化を実現することが可能な誘導結合プラズマ装置を提供することを目的とする。
【００１６】
また、本発明は、処理室内における異常放電や構造部材のスパッタによる損傷等を生じることなく、安定なプラズマ処理を行うことが可能な誘導結合プラズマ装置を提供することを目的とする。
【００１７】
【課題を解決するための手段】
上記課題を解決するために、本発明の第１の観点は、被処理基板にプラズマ処理を施す処理室と、前記処理室内に処理ガスを供給する処理ガス供給系と、
前記処理室内を排気する排気系と、前記処理室の上部壁を構成する誘電体壁と、前記処理室外の前記誘電体壁に対応する部分に設けられ、高周波電力が供給されることにより前記処理室内にプラズマを形成するためのプラズマ発生機構とを具備し、前記プラズマ発生機構により前記処理ガスをプラズマ化して前記被処理基板にプラズマ処理を施すプラズマ処理装置であって、前記誘電体壁は、各々が、第１誘電体からなる枠部材と前記枠部材に嵌合し第２誘電体からなる窓部材とで構成され、相互に嵌合する複数のセグメントを接ぎ合わせて構成されているプラズマ処理装置を提供する。
【００１８】
本発明の第２の観点は、被処理基板にプラズマ処理を施す処理室と、前記処理室内に処理ガスを供給する処理ガス供給系と、前記処理室内を排気する排気系と、前記処理室の上部壁を構成する誘電体壁と、前記処理室外の前記誘電体壁に対応する部分に設けられ、高周波電力が供給されることにより前記処理室内にプラズマを形成するためのプラズマ発生機構とを具備し、前記プラズマ発生機構により前記処理ガスをプラズマ化して前記被処理基板にプラズマ処理を施すプラズマ処理装置であって、前記誘電体壁は、各々が誘電体からなり相互に嵌合する複数のセグメントを接ぎ合わせて構成されているプラズマ処理装置を提供する。
【００１９】
上記した本発明の第１の観点によれば、たとえば、セグメントの枠部材を構成する第１誘電体として強度の比較的大きなアルミナ等のセラミックスを用い、窓部材を構成する第２誘電体として高周波エネルギの透過効率の大きな石英を用いることで、高周波エネルギの損失や、プラズマ分布の偏り等の原因となる導電性のレール等の支持部材を用いることなく、また誘電体壁の厚さ寸法を増大させることなく、誘電体壁の大型化を実現できる。
【００２０】
また、上記した本発明の第２の観点によれば、個々のセグメントを比較的強度の大きなアルミナ等のセラミックス等の誘電体で一体に構成することで、高周波エネルギの損失や、プラズマ分布の偏り等の原因となる導電性のレール等の支持部材を用いることなく、また誘電体壁の厚さを増加させることなく、誘電体壁の大型化を実現できる。
【００２１】
すなわち、高周波アンテナの配置に種々の制約を生じることなく、高周波アンテナと処理室との間に介在する誘電体壁の大型化を達成できる。
【００２２】
また、本発明の場合、処理室内部に露出する導電性の構造部材が誘電体壁に存在しないので、誘電体壁を構成する構造部材のスパッタによる損傷や、異常放電等の発生を防止できる。
【００２３】
【発明の実施の形態】
以下、添付図面を参照して本発明の実施の形態について説明する。図１は本発明の一実施形態に係る誘導プラズマエッチング装置を示す断面図、図２は、本実施形態の誘導プラズマエッチング装置の一部の分解斜視図、図３および図４は、本実施形態の誘導プラズマエッチング装置の構成部材の斜視図、である。この装置は、例えばＬＣＤの製造においてＬＣＤガラス基板上に薄膜トランジスターを形成する際に、メタル膜、ＩＴＯ膜、酸化膜等をエッチングするために用いられる。
【００２４】
この誘導プラズマエッチング処理装置は、導電性材料、例えば、内壁面がアルマイト処理（陽極酸化処理）されたアルミニウムからなる角筒形状の気密な本体容器１０を有する。この本体容器１０は分解可能に組み立てられており、接地線１１により接地されている。本体容器１０は、支持棚５０に周辺部が支持された誘電体壁２０により上下にアンテナ室３０および処理室４０に区画されている。したがって、誘電体壁２０は処理室４０の天井壁を構成している。
【００２５】
本実施形態の場合、誘電体壁２０は、たとえば、各々が、Ａｌ２Ｏ３等のセラミックスからなる枠部材２１と、この枠部材２１に嵌合し、石英等で構成される窓部材２２からなる複数のセグメントＳ（本実施形態の場合一例として、図４に例示されるように、４×４＝１６個）を、同じくセラミックス等の誘電体で構成される連結部材２６、および枠部材２１のネジ穴２１ｆに嵌合するネジ２６ａにて一体に連結した構成となっており、周辺部が支持棚５０に対して連結部材２６、および支持棚５０のネジ穴５０ｃに嵌合するネジ２６ｂにて固定されている。
【００２６】
すなわち、図２に例示されるように、個々のセグメントＳを構成する枠部材２１は、中央部に、下側に凸の角錐台形のテーパ面２１ａで開口する開口部２１ｂが設けられ、この開口部２１ｂに、下側に凸の角錐台形のテーパ面２２ａを有する窓部材２２が嵌合する構造となっている。
【００２７】
枠部材２１のテーパ面２１ａには、全周にわたるパッキン溝２１ｃが形成されており、このパッキン溝２１ｃにＯリング２３を装着することで、枠部材２１と窓部材２２の嵌合面における気密性が保持されている。
【００２８】
枠部材２１の上端外周部には、全周に渡って面取り部２１ｄが形成されており、組み立て状態で隣接する枠部材２１の面取り部２１ｄと一体となって、あるいは、支持棚５０の内周部の面取り部５０ａと一体となって、パッキン溝２４を構成する。
【００２９】
そして、図１に例示される組み立て状態において、このパッキン溝２４には、枠部材２１の縦横の外形サイズに一致するように網目のピッチが設定された網形パッキン２５が装着され、連結部材２６およびネジ２６ａ，ネジ２６ｂにてパッキン溝２４内に固定されることにより、隣接する枠部材２１（セグメントＳ）間の気密性、および誘電体壁２０の外周部と支持棚５０の内周部との間の気密性が保たれる構造となっている。
【００３０】
個々のセグメントＳの枠部材２１の底部外周には、隣接するセグメントＳの枠部材２１の底部外周部、または支持棚５０の段差部５０ｂと嵌合する嵌合部２１ｅが設けられている。
【００３１】
すなわち、枠部材２１の４辺の各々において、上述の嵌合部２１ｅは、支持棚５０の内周底部に設けられた段差部５０ｂに嵌合する辺では凹形を呈し、それ以外の辺は、隣接する他のセグメントＳの嵌合部２１ｅと互いに凹凸が逆になるように凹形またはフランジ状の凸形が設定される。
【００３２】
このように、本実施形態の場合には、強度の大きなセラミックスからなる枠部材２１に高周波エネルギの透過効率のよい石英からなる窓部材２２を嵌め込んだ複数のセグメントＳを相互に嵌合させて接ぎ合わせることによって誘電体壁２０が構成されているので、被処理基板Ｇが大型化しても、金属製の梁等の導電性部材を全く用いることなく、また誘電体壁２０の厚さを大きくすることなく、セグメントＳの数を増やすことで誘電体壁２０を大型化することができる。
【００３３】
複数のセグメントＳからなる誘電体壁２０の中央部は、吊り柱５１を介して本体容器１０の天井に吊された状態となっている。この吊り柱５１には、軸方向にガス通路５１ａが形成されている。
【００３４】
この場合、吊り柱５１の下端は、一例として誘電体壁２０の中央部の隣接する４個のセグメントＳの隅部に固定され、４つのセグメントＳの隣接する隅部には、吊り柱５１のガス通路５１ａに連通するガス吹き出し口２１ｇが厚さ方向に貫通して形成されている。
【００３５】
一方、吊り柱５１のガス通路５１ａは、ガス供給管９０ａを介して処理ガス供給源およびバルブシステム等を含む処理ガス供給系９０に接続されている。したがって、プラズマ処理においては、処理ガス供給系９０から供給された処理ガスが、ガス供給管９０ａ、ガス通路５１ａ、ガス吹き出し口２１ｇを介して処理室４０内へ吐出される。
【００３６】
アンテナ室３０内には、誘電体壁２０の上に誘電体壁２０に面するように高周波（ＲＦ）アンテナ６０が配設されている。この高周波アンテナ６０は渦巻き状をなす平面型のコイルアンテナからなる。図示高周波アンテナ６０は誘電体壁２０より離間させているが誘電体壁２０に近接していてもよい。高周波アンテナ６０は渦巻きの中心部より給電棒を介して本体容器１０の天井からその外側へ導出され、整合器６１を介して高周波電源６２に接続される。一方、渦巻きの外側端部は本体容器１０に接続され、これにより接地されている。
【００３７】
上述のように、本実施形態の場合、誘電体壁２０を構成するセグメントＳや連結部材２６は誘電体で構成されており、導電性部材が用いられていないので、高周波アンテナ６０の設置に際しては、導電性部材による高周波アンテナ６０の引き回し経路を導電性部材に直交させる等の制約は全く生じない。従って、アンテナ室３０の内部において、自由に高周波アンテナ６０の配置を行うことが可能なる。
【００３８】
プラズマ処理中、高周波電源６２からは、誘導電界形成用の例えば周波数が１３．５６ＭＨｚの高周波電力が高周波アンテナ６０へ供給される。このように高周波電力が供給された高周波アンテナ６０により、処理室４０内に誘導電界が形成され、この誘導電界により、ガス吹き出し口２１ｇから供給された処理ガスがプラズマ化される。この際の高周波電源６２の出力は、プラズマを発生させるのに十分な値になるように適宜設定される。
【００３９】
処理室４０内の下方には、誘電体壁２０を挟んで高周波アンテナ６０と対向するように、ＬＣＤガラス基板等の被処理基板Ｇを載置するための載置台としてのサセプタ７０が設けられている。サセプタ７０は、導電性材料、例えば表面がアルマイト処理（陽極酸化処理）されたアルミニウムで構成されている。サセプタ７０に載置された被処理基板Ｇは、静電チャック（図示せず）によりサセプタ７０に吸着保持される。
【００４０】
サセプタ７０は絶縁体枠７１内に収納され、さらに、中空の支柱７２に支持される。支柱７２は本体容器１０の底部の気密状態を維持しつつ貫通し、本体容器１０外に配設された昇降機構（図示せず）に支持され、被処理基板Ｇの搬入出時に昇降機構によりサセプタ７０が上下方向に駆動される。なお、サセプタ７０を収納する絶縁体枠７１と本体容器１０の底部との間には、支柱７２を気密に包囲するベローズ７３が配設されており、これにより、サセプタ７０の上下動によっても処理室４０内の気密性が保証される。また処理室４０の側壁４１には、被処理基板Ｇを搬入出するためのゲートバルブ７４が設けられている。
【００４１】
サセプタ７０には、中空の支柱７２内に設けられた給電棒により、整合器７５を介して高周波電源７６が接続されている。この高周波電源７６は、プラズマ処理中に、バイアス用の高周波電力、例えば周波数が６ＭＨｚの高周波電力をサセプタ７０に印加する。このバイアス用の高周波電力により、処理室４０内に生成されたプラズマ中のイオンが効果的に被処理基板Ｇに引き込まれる。
【００４２】
さらに、サセプタ７０内には、被処理基板Ｇの温度を制御するため、セラミックヒータ等の加熱手段や冷媒流路等からなる温度制御機構と、温度センサーとが設けられている（いずれも図示せず）。これらの機構や部材に対する配管や配線は、いずれも中空の支柱７２を通して本体容器１０外に導出される。
【００４３】
処理室４０の底部には、排気管８１を介して真空ポンプ等を含む排気機構８０が接続される、この排気機構８０により、処理室４０内が排気され、プラズマ処理中、処理室４０内が所定の真空雰囲気（例えば１．３３Ｐａ）に設定、維持される。
【００４４】
次に、以上のように構成される誘導結合プラズマエッチング装置を用いて被処理基板Ｇに対してプラズマエッチング処理を施す際の処理動作の一例について説明する。
【００４５】
まず、ゲートバルブ７４を開にした状態で、そこから搬送機構（図示せず）により被処理基板Ｇを処理室４０内に搬入し、サセプタ７０の載置面に載置した後、静電チャック（図示せず）により被処理基板Ｇをサセプタ７０上に固定する。次に、処理ガス供給系９０から、エッチングガスを含む処理ガスを誘電体壁２０のガス吹き出し口２１ｇを通じて処理室４０内に吐出させるとともに、排気機構８０により排気管８１を介して処理室４０内を真空排気することにより、処理室内を例えば１．３３Ｐａ程度の圧力雰囲気に維持する。
【００４６】
次に、高周波電源６２から１３．５６ＭＨｚの高周波をアンテナ６０に印加し、これにより誘電体壁２０を介して処理室４０内に均一な誘導電界が形成される。このようにして形成された誘導電界により、処理室４０内で処理ガスがプラズマ化し、誘導結合プラズマが生成される。このようにして生成されたプラズマ中のイオンは、高周波電源７６からサセプタ７０に対して印加される６ＭＨｚの高周波電力によって被処理基板Ｇに効果的に引き込まれ、被処理基板Ｇに対して均一なエッチング処理が施される。
【００４７】
ここで、本実施形態の場合には、各々が強度の大きなセラミックスからなる枠部材２１に高周波エネルギの透過効率のよい石英からなる窓部材２２を嵌合させた複数のセグメントＳを結合させることによって、金属製の梁等の導電性部材を全く用いることなく、また誘電体壁２０の厚さを大きくすることなく、処理室４０の真空排気に伴う負荷に耐え得るように誘電体壁２０を構成することができるので、セグメントＳの数を増やして誘電体壁２０を大型化する場合でも、誘電体壁２０における導電性部材の存在や厚さ寸法の増大による誘導電界エネルギロスが少なく、高周波アンテナ６０からの誘導電界が効率良く処理室４０内の誘導結合プラズマの生成に用いられることとなり、プラズマエッチング等のプラズマ処理効率が向上する。
【００４８】
また、セグメントＳの数を増やして誘電体壁２０を大型化しても、誘電体壁２０の一部に導電性部材を用いることに起因する処理室４０内でのプラズマの分布の偏りが発生せず、大型の被処理基板Ｇに対して均一なプラズマ処理が可能になる。
【００４９】
さらに、誘電体壁２０において、処理室４０に露出する導電性部材が全く存在しないので、スパッタ現象による当該導電性部材の損傷や異常放電の発生等の懸念も解消され、安定なプラズマ処理を実現できる。
【００５０】
なお、本発明は上記実施の形態に限定されることなく種々変形可能である。例えば、吊り柱５１は、１本にかぎらず、図５に例示されるように、複数本配置し、その各々がガス通路５１ａを備える構成としてもよい。
【００５１】
また、誘電体壁２０を構成するセグメントＳの数は、縦横方向ので等しい分割数（図４では４×４）にすることにかぎらず、図６に例示されるような４×２や、図７に例示されるような３×２等にしてもよい。
【００５２】
さらに、図８に例示されるように、個々のセグメントＳを、たとえばアルミナ等のセラミックスからなる誘電体で一体成型されたブロック部材２１−１で構成し、窓部材を省略してもよい。この場合も、各々が強度の大きなセラミックスのブロック部材２１−１からなる複数のセグメントＳを結合させることによって、金属製の梁等の導電性部材を全く用いることなく、また誘電体壁２０の厚さを大きくすることなく、誘電体壁２０を構成することができる。
【００５３】
この結果、セグメントＳ（ブロック部材２１−１）の数を増やして誘電体壁２０を大型化する場合でも、誘電体壁２０における導電性部材の存在や厚さ寸法の増大による誘導電界の減少が少なく、高周波アンテナ６０からの誘導電界が効率良く処理室４０内の誘導結合プラズマの生成に用いられることとなり、プラズマエッチング等のプラズマ処理効率が向上する。
【００５４】
さらに、上記実施形態では、本発明をエッチング装置に適用した場合について示したが、エッチング装置に限らず、スパッタリングや、ＣＶＤ成膜等の他のプラズマ処理装置に適用することができる。また、上記実施形態では本発明を誘導結合プラズマに適用した場合について示したが、誘導結合プラズマに限らず、マイクロ波等を用いたプラズマ処理装置にも適用することができる。さらにまた、被処理基板としてＦＰＤ基板を用いたが、本発明はこれに限らず半導体ウエハ等他の基板を処理する場合にも適用可能である。
【００５５】
【発明の効果】
以上説明したように、本発明のプラズマ処理装置によれば、誘電体壁の補強に伴う高周波エネルギの効率低下を生じることなく、装置の大型化を実現することが可能となる。
【００５６】
また、処理室内でのプラズマの分布を均一にして均一な処理結果を得ることが可能となる。
【００５７】
また、高周波アンテナの配置に制約を生じることなく、装置の大型化を実現することが可能となる。
【００５８】
また、処理室内における異常放電やスパッタによる構造部材の損傷等を生じることなく、安定なプラズマ処理を行うことが可能となる。
【図面の簡単な説明】
【図１】本発明の一実施形態に係る誘導プラズマエッチング装置を示す断面図。
【図２】本発明の一実施形態に係る誘導プラズマエッチング装置の構成要素の分解斜視図。
【図３】本発明の一実施形態に係る誘導プラズマエッチング装置の構成部材の斜視図。
【図４】本発明の一実施形態に係る誘導プラズマエッチング装置の構成部材の斜視図。
【図５】本発明の一実施形態に係る誘導プラズマエッチング装置の誘電体壁の変形例の斜視図。
【図６】本発明の一実施形態に係る誘導プラズマエッチング装置の誘電体壁の変形例の斜視図。
【図７】本発明の一実施形態に係る誘導プラズマエッチング装置の誘電体壁の変形例の斜視図。
【図８】本発明の一実施形態に係る誘導プラズマエッチング装置における誘電体壁を構成するセグメントの変形例の斜視図。
【符号の説明】
１０…本体容器
２０…誘電体壁
２１…枠部材
２１−１…ブロック部材
２１ａ…テーパ面
２１ｂ…開口部
２１ｃ…パッキン溝
２１ｄ…面取り部
２１ｅ…嵌合部
２１ｆ…ネジ穴
２１ｇ…ガス吹き出し口
２２…窓部材
２２ａ…テーパ面
２３…Ｏリング
２４…パッキン溝
２５…網形パッキン
２６…連結部材
２６ａ…ネジ
２６ｂ…ネジ
３０…アンテナ室
４０…処理室
５０…支持棚
５０ａ…面取り部
５０ｂ…段差部
５０ｃ…ネジ穴
５１…吊り柱
５１ａ…ガス通路
６０…高周波アンテナ
７０…サセプタ
８０…排気機構
９０…処理ガス供給系
９０ａ…ガス供給管
Ｇ…被処理基板
Ｓ…セグメント
【図１】
2004363418.tif 000003
【図２】
2004363418.tif 000004
【図３】
2004363418.tif 000005
【図４】
2004363418.tif 000006
【図５】
2004363418.tif 000007
【図６】
2004363418.tif 000008
【図７】
2004363418.tif 000009
【図８】
2004363418.tif 000010